(57)【要約】【課題】空気感染等を防ぐためマスクを着用したとき、抵抗が増してスムーズな呼吸ができなくなるおそれのある呼吸器系等に障害を有する者が使用して好適なマスクブースターを提供する。【解決手段】小型モーター５によって回転駆動するファン４を内蔵した筒状のケース本体１の下端部にエア吸引口となる開口部２を開設する。当該開口部２にエアフィルター３を付設する。前記ファン４の回転駆動に伴ってケース本体１内にエアフィルター３を通って吸引される清浄エアを、ケース本体１の上端部に接続したフレキシブルチューブ１１を介してブースター本体１２内に供給するようにした。【選択図】　図１
0003097925.tif 000002
【実用新案登録請求の範囲】
【請求項１】
小型モーターによって回転駆動するファンを内蔵した筒状のケース本体の下端部にエア吸引口となる開口部を開設すると共に、当該開口部にエアフィルターを付設し、前記ファンの回転駆動に伴ってケース本体内にエアフィルターを通って吸引される清浄エアを、ケース本体の上端部に接続したフレキシブルチューブを介してマスクの上から口元付近にあてがう椀状をなすブースター本体内に供給するようにしたことを特徴とするマスクブースター。
【請求項２】
ケース本体は使用済みペットボトルを再利用したものであり、清浄エアをブースター本体まで供給するフレキシブルチューブは当該使用済みペットボトルの注ぎ口に接続されていることを特徴とする請求項１記載のマスクブースター。
【請求項３】
小型モーターの電源としてソーラーバッテリーによる充電式電池を用いるようにしたことを特徴とする請求項１又は２記載のマスクブースター。
【請求項４】
ブースター本体に吐気排出用の開閉弁を付設したことを特徴とする請求項１乃至３記載のマスクブースター。
【考案の詳細な説明】
【０００１】
【考案の属する技術分野】
本考案はマスクを着用したとき、抵抗が増してスムーズな呼吸ができなくなるおそれのある呼吸器系等に障害を有する者が使用して好適なマスクブースターに関する。
【０００２】
【従来の技術】
現在ＳＡＲＳが世界的に流行する中で、多くの人たちが感染防止のためにマスクを使用しているが、そのほとんどは通常の風邪を防ぐためのものを転用しているに過ぎず、着用の際の吸気抵抗はそれほどでもない。しかしながら、より高い感染防止効果が期待される医療用のマスクにあっては目の細かい特殊素材を用いているためマスクを介して空気を吸うのに相応の吸引力が必要となり、一般の人であっても呼吸困難になる場合がある。
【０００３】
【考案が解決しようとする課題】
上記したように、医療用のマスクは特殊素材を用いているため、一般人であってもこれを着用した場合、スムーズな呼吸ができなくなるという問題点がある。また、気管支炎のような呼吸器系に障害を有する者にあっては、通常の風邪対策用のマスクであってもこれを着用した場合、呼吸が困難になり、近くに感染源があってもマスクを実際上着用することができないという問題点がある。
【０００４】
そこで、本考案は前記した従来の問題点を解消するため、着用しているマスクの上からブースター本体を被せて当該ブースター本体内に清浄エアを供給し、マスク着用者の呼吸能力を補助するようになしたマスクブースターを提供することを目的とするものである。
【０００５】
【課題を解決するための手段】
前記目的を達成するための本考案の構成を詳述すれば、請求項１に係る考案は、小型モーターによって回転駆動するファンを内蔵した筒状のケース本体の下端部にエア吸引口となる開口部を開設すると共に、当該開口部にエアフィルターを付設し、前記ファンの回転駆動に伴ってケース本体内にエアフィルターを通って吸引される清浄エアを、ケース本体の上端部に接続したフレキシブルチューブを介してマスクの上から口元付近にあてがう椀状をなすブースター本体内に供給するようにしたことを特徴とするマスクブースターである。
【０００６】
請求項２に係る考案は、ケース本体は使用済みペットボトルを再利用したものであり、清浄エアをブースター本体まで供給するフレキシブルチューブは当該使用済みペットボトルの注ぎ口に接続されていることを特徴とする請求項１記載のマスクブースターである。
【０００７】
請求項３に係る考案は、小型モーターの電源としてソーラーバッテリーによる充電式電池を用いるようにしたことを特徴とする請求項１又は２記載のマスクブースターである。
【０００８】
請求項４に係る考案は、ブースター本体に吐気排出用の開閉弁を付設したことを特徴とする請求項１乃至３記載のマスクブースターである。
【０００９】
【考案の実施の形態】
以下、本考案に係るマスクブースターの具体的構成を図示の実施形態に基づき詳細に説明する。
図１は本考案マスクブースターの一実施形態を示すケース本体部分の斜視図、図２はケース本体の上端部にフレキシブルチューブを介して接続されるブースター本体の一実施形態を示す斜視図、図３は使用状態の一例を示す斜視図である。
【００１０】
図中１は使用済みペットボトルを再利用したケース本体であり、当該ケース本体１の底部はこれを切り取って外気の吸引口となる開口部２としてある。３は当該開口部２に付設した除塵・除菌効果のあるエアフィルター、４は小型モーター５によって回転駆動する外気吸引手段としてのファンを示す。
【００１１】
なお、このファンは一般の掃除機等で用いられているものと同様に中心部から吸引し、遠心力によって外側へ排気する構造のものとなっている。６は小型モーター５の駆動源となる電源部であり、ソーラーバッテリー７による充電式電池８が好適に用いられる。
【００１２】
９はケース本体１内の開口部２に付設した漏斗状のエアガイド（使用済みペットボトルの上部を転用）であり、当該エアガイド９の上端部が前記ファン４の吸引口に接続されている。１０は小型モーター５の駆動回路をＯＮ−ＯＦＦするスイッチ、１１はケース本体１の上端部（ペットボトルの注ぎ口）に接続した送気管としてのフレキシブルチューブである。
【００１３】
１２は当該フレキシブルチューブ１１の先端に取付けたブースター本体であり、当該ブースター本体１２はマスク１３を着用した者の口元付近にマスクの上から押し当てて使用するものであるため図２に示すように、椀状をなしている。
その他、１４はブースター本体１２に取付けた吐気排出用の開閉弁である。
【００１４】
しかして、スイッチ１０をＯＮにすると、小型モーター５の回転駆動によって外気はエアフィルター３を通り、漏斗状のエアガイド９に導かれてファン４の吸引口に吸い込まれ遠心力によって排気口１５を通じケース本体１内に至り、与圧された清浄エアは、当該ケース本体１の上端部（ペットボトルの注ぎ口）に接続したフレキシブルチューブ１１を介してブースター本体１２内に供給される。
【００１５】
マスク１３の着用者は図３に示すように、このブースター本体１２を手に持ってマスク１３の上から軽く押し当ててスムーズな呼吸の補助とするものである。なお、ブースター本体１２には吸気の際は閉じられるが、吐気の際は開状態となる吐気排出用の開閉弁１４を取付けてあるので、気管支炎のような呼吸器系に障害を有する者であってもマスク着用状態でスムーズな呼吸が確保される。
【００１６】
【考案の効果】
本考案は以上のように、着用しているマスクの上からブースター本体を被せて当該ブースター本体内に与圧された清浄エアを供給し、マスク着用者の呼吸能力を補助するようになしたものであるから、呼吸力の弱い高齢者等に対し大きな効果を与えることができる。また、ケース本体内に吸引される外気は開口部に付設されたエアフィルターを通るので、ここで最初の除塵・除菌がなされ、口元のマスクと併せ二重のガード構造となるので、予防効果も確かなものとなる。
【００１７】
なお、本考案はマスク用のブースターではあるが、マスクを着用していない者の呼吸を補助するための道具としても利用することができ、このような用例についても本考案の範囲が及ぶのは云うまでもない。
【図面の簡単な説明】
【図１】本考案マスクブースターの一実施形態を示すケース本体部分の斜視図である。
【図２】ケース本体の上端部にフレキシブルチューブを介して接続されるブースター本体の一実施形態を示す斜視図である。
【図３】使用状態の一例を示す斜視図である。
【符号の説明】
１：ケース本体　　　　　　　　　　２：開口部
３：エアフィルター　　　　　　　　４：ファン
５：小型モーター　　　　　　　　　６：電源部
７：ソーラーバッテリー　　　　　　８：充電式電池
９：エアガイド　　　　　　　　　１０：スイッチ
１１：フレキシブルチューブ　　　　１２：ブースター本体
１３：マスク　　　　　　　　　　　１４：開閉弁
１５：排気口
【図１】
0003097925.tif 000003
【図２】
0003097925.tif 000004
【図３】
0003097925.tif 000005